(57)【要約】【課題】コンパクトなサイズで単数又は複数の入力電源を複数の出力電源に分岐可能な分岐端子台装置を提供する。【解決手段】段違いの下段端子面２１及び上段端子面２２を有する３個の導電金具２０と、各導電金具２０が固定される階段状の３個の台座部１３を有する絶縁性の筐体としてのケース１０とを備え、各導電金具２０は、上段端子面２２に１個の入力端子ボルト２７が設けられると共に、下段端子面２１に２個の出力端子ネジ２５が、上段端子面２２に１個の出力端子ネジ２５がそれぞれ設けられているので、各導電金具２０並びにケース１０のサイズを小さく設定することができ、装置全体をコンパクト化することが可能となる。【選択図】図１
2007294333.tif 000002
【特許請求の範囲】
【請求項１】
単数又は複数の入力電源を複数の出力電源に分岐するための分岐端子台装置であって、
段違いの複数の端子面を有する導電金具と、
その導電金具が固定される階段状の台座部を有する絶縁性の筐体と
を備え、
前記導電金具には、前記複数の端子面のうち、一つ以上の端子面に少なくとも一つの入力端子部が設けられると共に、二つ以上の各端子面にそれぞれ少なくとも一つの出力端子部が設けられたことを特徴とする分岐端子台装置。
【請求項２】
前記二つ以上の各端子面に設けられた各出力端子部の水平位置は、ケーブル接続方向と交差する方向において互いに異なるように設定されたことを特徴とする請求項１に記載の分岐端子台装置。
【請求項３】
前記導電金具において隣接する下段側と上段側の端子面間を接続する立ち上がり部が、前記下段側の端子面に設けられる前記入力端子部又は前記出力端子部のいずれかに近接していることを特徴とする請求項１又は２に記載の分岐端子台装置。
【請求項４】
前記筐体の左右両端に側壁部がそれぞれ立設されると共に、
前記側壁部に着脱可能に取付けられて前記筐体の上面を覆う透明カバーをさらに備えたことを特徴とする請求項１乃至３のいずれかに記載の分岐端子台装置。
【請求項５】
前記筐体の左右方向長さに略等しい長さを有する記号板を備え、
その記号板は、前記両側壁部上面に架け渡されて前記透明カバー下面との間に挟持されたことを特徴とする請求項４に記載の分岐端子台装置。
【請求項６】
前記筐体の前記台座部には、前記導電金具の前記入力端子部又は前記出力端子部に設けられる端子金具の一部を収容可能な複数の凹部が設けられ、前記凹部の個数、位置及び大きさは、前記入力端子部又は前記出力端子部の個数が異なる複数種類の導電金具に対して共通に使用可能に設定されたことを特徴とする請求項１乃至５のいずれかに記載の分岐端子台装置。
【発明の詳細な説明】
【技術分野】
【０００１】
本発明は、単数又は複数の入力電源を複数の出力電源に分岐するための分岐端子台装置に関する。
【背景技術】
【０００２】
従来より、各種の端子台装置が提案されており（例えば、特許文献１参照。）、それらの一つとして、単数又は複数の入力電源を複数の出力電源に分岐するための分岐端子台装置がある。図９は、従来例の分岐端子台装置１０１を示す図であり、（ａ）は平面図を、（ｂ）は正面図をそれぞれ示している。従来例の分岐端子台装置１０１は、仕切り壁部１１８によって仕切られた３つの端子台部１１１を有するケース１１０と、３枚の導電金具１２０と、記号板１３０と、透明カバー１４０とを主要部材として構成されている。ケース１１０は、合成樹脂材料からなる上面及び前後面が開放された略箱形を呈する絶縁性の筐体であり、左右両端には、側壁部１１９がそれぞれ立設されている。
【０００３】
各端子台部１１１は、ケース１１０の底部に台座部１１３が設けられ、台座部１１３には銅や黄銅等の長方形板状の金属板である導電金具１２０が取付けられる。導電金具１２０は、ケース１１０の前後方向中央において左右に延びる壁状の記号板１３０によって、前方側端子面１２１と後方側端子面１２２とに仕切られている。そして、前方側端子面１２１には、出力端子ネジ１２５が左右に所定間隔で３個取付けられている。一方、後方側端子面１２２には、入力端子ネジ１２７が１個取付けられている。透明カバー１４０は、透明樹脂材料からなる長方形状の平板であり、ケース１１０上面を覆うように側壁部１１９上面に着脱可能に取付けられる。
【特許文献１】特開２０００−２００６３３号公報
【発明の開示】
【発明が解決しようとする課題】
【０００４】
しかしながら、上述した従来例の分岐端子台装置１０１は、複数の出力端子ネジ１２５を横一列に配列する構成であるため、横方向寸法を”（端子数−１）×端子間隔”以上の長さに設定する必要があり、装置サイズが大型にならざるを得ないという問題がある。特に、出力端子の数が多くなるに従って装置サイズが大型となるため、分岐端子台装置の設置に必要な面積が大きくなり、製造コストも高くなるという問題がある。
【０００５】
本発明は上述した問題点に鑑みてなされたものであり、解決しようとする課題は、コンパクトなサイズで入力電源を複数の出力電源に分岐可能な分岐端子台装置を提供することである。
【課題を解決するための手段】
【０００６】
以下、上記課題を解決するのに適した各手段につき、必要に応じて作用効果等を付記しつつ説明する。
【０００７】
１．単数又は複数の入力電源を複数の出力電源に分岐するための分岐端子台装置であって、
段違いの複数の端子面を有する導電金具と、
その導電金具が固定される階段状の台座部を有する絶縁性の筐体と
を備え、
前記導電金具には、前記複数の端子面のうち、一つ以上の端子面に少なくとも一つの入力端子部が設けられると共に、二つ以上の各端子面にそれぞれ少なくとも一つの出力端子部が設けられたことを特徴とする分岐端子台装置。
【０００８】
手段１によれば、段違いの複数の端子面を有する導電金具と、その導電金具が固定される階段状の台座部を有する絶縁性の筐体とを備え、導電金具には、複数の端子面のうち、一つ以上の端子面に少なくとも一つの入力端子部が設けられると共に、二つ以上の各端子面にそれぞれ少なくとも一つの出力端子部が設けられているので、導電金具並びに筐体のサイズを小さく設定することができ、装置全体をコンパクト化することが可能となる。また、出力端子部が設けられる各端子面が段違いとなっているため、各出力端子部に接続されるケーブル同士が干渉することがなく、各ケーブルの各出力端子金具への接続作業を容易に行うことができる。
【０００９】
２．前記二つ以上の各端子面に設けられた各出力端子部の水平位置は、ケーブル接続方向と交差する方向において互いに異なるように設定されたことを特徴とする手段１に記載の分岐端子台装置。
【００１０】
手段２によれば、二つ以上の各端子面に設けられた各出力端子部の水平位置は、ケーブル接続方向と交差する方向において互いに異なるように配置されているので、メンテナンス時における入力端子部及び出力端子部のネジ締め点検等の際に、段違いの他の端子面に設けられた出力端子部に接続されたケーブルにドライバ等の工具が接触することなく、ネジの増す締め作業等を効率的に行うことができる。
【００１１】
３．前記導電金具において隣接する下段側と上段側の端子面間を接続する立ち上がり部が、前記下段側の端子面に設けられる前記入力端子部又は前記出力端子部のいずれかに近接していることを特徴とする手段１又は２に記載の分岐端子台装置。
【００１２】
手段３によれば、導電金具において隣接する下段側と上段側の端子面間を接続する立ち上がり部が、下段側の端子面に設けられる入力端子部又は出力端子部のいずれかに近接しているので、ケーブル先端の圧着端子等を下段側の端子面の入力端子部又は出力端子部に取付ける際に、圧着端子等の先端が導電金具の略垂直部分に当接して位置決めされ、高い作業性でケーブルを容易に接続することができる。
【００１３】
４．前記筐体の左右両端に側壁部がそれぞれ立設されると共に、
前記側壁部に着脱可能に取付けられて前記筐体の上面を覆う透明カバーをさらに備えたことを特徴とする手段１乃至３のいずれかに記載の分岐端子台装置。
【００１４】
手段４によれば、筐体の左右両端に側壁部がそれぞれ立設されると共に、側壁部に着脱可能に取付けられて筐体の上面を覆う透明カバーをさらに備えているので、作業者が通電中の導電金具等に誤って接触して感電する事故等を防止することができると共に、透明カバーを取付けた状態で各端子部におけるケーブルの接続状態等の目視確認を行うことができる。
【００１５】
５．前記筐体の左右方向長さに略等しい長さを有する記号板を備え、
その記号板は、前記両側壁部上面に架け渡されて前記透明カバー下面との間に挟持されたことを特徴とする手段４に記載の分岐端子台装置。
【００１６】
手段５によれば、筐体の左右方向長さに略等しい長さを有する記号板が両側壁部上面に架け渡されて透明カバー下面との間に挟持されるので、簡単な構造で確実に記号板が固定されると共に、記号板に表示された各ケーブルを識別するための記号等を、透明カバーを通して確実に目視確認することができる。
【００１７】
６．前記筐体の前記台座部には、前記導電金具の前記入力端子部又は前記出力端子部に設けられる端子金具の一部を収容可能な複数の凹部が設けられ、前記凹部の個数、位置及び大きさは、前記入力端子部又は前記出力端子部の個数が異なる複数種類の導電金具に対して共通に使用可能に設定されたことを特徴とする手段１乃至５のいずれかに記載の分岐端子台装置。
【００１８】
手段６によれば、筐体の台座部には、導電金具の入力端子部又は出力端子部に設けられる端子金具の一部を収容可能な複数の凹部が設けられ、凹部の個数、位置及び大きさは、入力端子部又は出力端子部の個数が異なる複数種類の導電金具に対して共通に使用可能に設定されているので、複数種類の導電金具のいずれかを用途に応じて選択し、同一の筐体に取付けて使用することができる。
【発明の効果】
【００１９】
本発明によれば、段違いの複数の端子面を有する導電金具と、その導電金具が固定される階段状の台座部を有する絶縁性の筐体とを備え、導電金具は、いずれかの端子面に少なくとも一つの入力端子部が設けられると共に、二つ以上の各端子面にそれぞれ少なくとも一つの出力端子部が設けられているので、横方向寸法を小さく設定することにより、装置全体のサイズをコンパクト化することができる。また、出力端子部が設けられる各端子面の高さが異なるため、出力端子部に接続されるケーブル同士が干渉することがなく、各ケーブルの出力端子金具への接続を容易に行うことができる。
【発明を実施するための最良の形態】
【００２０】
以下、本発明の分岐端子台装置を具体化した一実施形態について図面を参照しつつ説明する。図１は、本実施形態の分岐端子台装置１を示す斜視図である。図２は、分岐端子台装置１を示す分解斜視図である。図３は、分岐端子台装置１を示す正面図である。図４は、導電金具２０及び端子ネジ２５等を示す分解斜視図である。
【００２１】
分岐端子台装置１は、図１，２に示すように、３つの端子台部１１を有するケース１０と、３枚の導電金具２０と、記号板３０と、透明カバー４０とを主要部材として構成されている。
【００２２】
ケース１０は、合成樹脂材料（例えば、ＡＢＳ樹脂）からなる上面及び前後面が開放された略箱形を呈する絶縁性の筐体である。ケース１０には、３つの端子台部１１が左右に隣接して配置され、隣接する端子台部１１間（左側及び中央の各端子台部１１間及び中央及び右側の各端子台部１１間）にそれぞれ仕切り壁部１８が立設されている。さらに、ケース１０の左右両端（左側の端子台部１１左端及び右側の端子台部１１右端）には、側壁部１９がそれぞれ立設され、各々の上面の前部及び後部に透明カバー４０取付け用の雌ネジ金具１９ａがそれぞれ埋設されている。
【００２３】
各端子台部１１は、ケース１０の底部をなすベース部１２と、導電金具２０が固定される台座部１３とを備えている。
【００２４】
ベース部１２は、端子台部１１の前部及び後部を構成する水平面である。ベース部１２には、分岐端子台装置１を配電盤等へ固定するための図示しないボルトが取付けられるボルト取付部１２ａがそれぞれ設けられている。ボルト取付部１２ａは、ボルトの頭部を収容可能な円筒状の凹部であり、ボルトの足部を挿通可能な挿通孔１２ｂが中心に設けられている。
【００２５】
台座部１３は、端子台部１１の前後方向中央部を構成する階段状部分であり、ベース部１２より一段高く形成された水平面である下段部１４と、下段部１４後方にてさらに一段高く形成された水平面である上段部１５とを有している。下段部１４には、丸頭ネジである出力端子ネジ２５の足部を収容可能な直方体状の３個の凹部１４ａ，１４ｂ，１４ｃが左右方向に所定間隔で設けられている。上段部１５には、前方側から後方側に向かって順に、出力端子ネジ２５の足部を収容可能な長円筒状の凹部１５ａと、皿ネジである金具取付けネジ２６が螺合する左右２つの雌ネジ金具１５ｂと、入力端子ボルト２７の足部を収容可能な円筒状の凹部１５ｃとが設けられている。
【００２６】
導電金具２０は、図２，図４等に示すように、銅や黄銅等の金属板に折り曲げ加工を施して階段状に屈曲させたものであり、段違いの二つの端子面である下段端子面２１及び上段端子面２２を有している。下段端子面２１には、左右に２つのネジ孔２１ａが形成され、各ネジ孔２１ａには出力端子ネジ２５がそれぞれ座金を介して取付けられる。上段端子面２２には、左右中央に１つのネジ孔２２ａと、左右に２つのテーパ状のネジ挿通孔２２ｂと、左右中央に雌ネジ孔である１つのボルト挿通孔２２ｃとが、前方から後方に向かって順に設けられている。ネジ孔２２ａは、下段端子面２１のネジ孔２１ａと同一径であり、出力端子ネジ２５が座金を介して取付けられる。また、下段端子面２１に設けられた２個のネジ孔２１ａ及び上段端子面２２に設けられたネジ孔２２ａの水平位置は、ケーブル接続方向と交差する左右方向において互いに異なるように設定されている。各ネジ挿通孔２２ｂには、皿ネジである金具取付けネジ２６がそれぞれ挿通され、上段端子面１５の雌ネジ金具１５ｂに螺合することにより、導電金具２０が台座部１３に固定される。また、ボルト挿通孔２２ｃには、入力端子ボルト２７の足部が挿通されて螺合する。つまり、導電金具２０には、下段端子面２１に２個及び上段端子面２２に１個の合計３個の出力端子ネジ２５が、上段端子面２２に１個の入力端子ボルト２７がそれぞれ取付けられる。尚、入力端子ボルト２７及びボルト挿通孔２２ｃが、本発明の入力端子部を、出力端子ネジ２５及びネジ孔２１ａ，２１ａ，２２ａが、出力端子部をそれぞれ構成するものである。
【００２７】
記号板３０は、図１乃至図３に示すように、ケース１０の左右方向長さに略等しい長さを有する合成樹脂製の細長い長方形板であり、導電金具２０に接続される複数のケーブルを識別するための記号が、上面に油性筆記具等を用いて直接記入され、又は記号を表示したシールが貼付される。また、記号板３０下面には、ケース１０の各側壁部１９及び各仕切り壁部１８に対応する位置に、側壁部１９又は仕切り壁部１８の厚さより内側の幅が僅かに大きい断面コの字形状の位置決め用のリブ３０ａがそれぞれ突設されている。記号板３０は、両側壁部１９上面に架け渡されて透明カバー４０下面との間に挟持される。
【００２８】
透明カバー４０は、ポリカーボネート等の透明樹脂材料からなり、ケース１０上面を覆うように着脱可能に取付けられるカバー部材である。透明カバー４０は、前端及び後端から下方へそれぞれ延設された延設部４０ａを備え、延設部４０ａには、ケース１０の３つの端子台部１１に接続される入力側又は出力側のケーブルを通すために、矩形状に切り欠かれた切り欠き部４０ｂが各端子台部１１に対応して前後両側にそれぞれ３つずつ設けられている。また、透明カバー４０上面の四隅には、取付けネジ４１が挿通される挿通孔４０ｃがそれぞれ形成されている。
【００２９】
次に、分岐端子台装置１への電源入力側及び出力側のケーブル接続例について、図５及び図６を参照しつつ説明する。図５は、導電金具２０にケーブルを接続した状態を示す平面図である。図６は、分岐端子台装置１の使用状態を示す斜視図である。尚、図５では、透明カバー４０及び記号板３０の図示を省略している。また、分岐端子台装置１の各端子台部１１には、電源入力側（６００Ｖ−２５０Ａ）に１本の入力側ケーブル５０が接続され、電源出力側（６００Ｖ−８０Ａ）に３本の出力側ケーブル５２がそれぞれ接続される。また、分岐端子台装置１は、図示しないボルトを用いて配電盤に固定されているものとする。
【００３０】
まず、透明カバー４０及び記号板３０をケース１０から取り外すと共に金具取付けネジ２６を弛めた状態で、入力側ケーブル５０を導電金具２０の上段端子面２２に接続する。すなわち、入力端子ボルト２７の足部を、座金と共に入力側ケーブル５０先端の圧着端子５０ａの孔に挿通し、さらに上段端子面２２のボルト挿通孔２２ｃに挿通し、螺合して締付けることにより、圧着端子５０ａを上段端子面２２に固着する。
【００３１】
次に、３本の出力側ケーブル５２のうちの２本を、導電金具２０の下段端子面２１に接続する。すなわち、出力端子ネジ２５の足部を、座金と共に２本の出力側ケーブル５２先端の圧着端子５２ａの孔にそれぞれ挿通し、下段端子面２１に設けられた２つのネジ孔２１ａにそれぞれ螺合して締付けることにより、２個の圧着端子５２ａを下段端子面２１に固着する。次いで、残り１本の出力側ケーブル５２を導電金具２０の上段端子面２２に接続する。すなわち、出力端子ネジ２５の足部を、座金と共に出力側ケーブル５２先端の圧着端子５２ａの孔に挿通し、上段端子面２２に設けられたネジ孔２２ａに螺合して締付けることにより、圧着端子５２ａを上段端子面２２に固着する。入力側ケーブル５０及び各出力側ケーブル５２の導電金具２０への接続が完了した後、２個の金具取付けネジ２６を締付けて導電金具２０をケース１０の台座部１３に固定する。他の端子台部１１についても、同様の作業を行うことにより、各々の入力側ケーブル５０及び出力側ケーブル５２の導電金具２０への接続と導電金具２０の台座部１３への固定を行う。
【００３２】
全ての端子台部１１について上記作業が終了した後、記号板３０を、長手方向を左右に向けてケース１０の各側壁部１９及び各仕切り壁部１８上面における前後方向中央に載置する。そして、記号板３０下面に設けられたリブ３０ａを、ケース１０の各側壁部１９及び各仕切り壁部１８上部にそれぞれ嵌めるように位置決めする。
【００３３】
続いて、透明カバー４０を、ケース１０左右両側の側壁部１４上に位置合わせしつつ載置し、四隅の各挿通孔４０ｃに取付けネジ４１をそれぞれ挿通して側壁部１９上部に設けられた各雌ネジ金具１９ａにそれぞれ螺合することにより、透明カバー４０がケース１０上面を覆う状態で固定される。
【００３４】
そして、各ケーブルが接続された分岐端子台装置１は、例えば、３つの端子台部１１に入力電源として６００Ｖ−２５０Ａの３相電源が接続されている場合には、Ｕ相，Ｖ相，及びＷ相に対応する６００Ｖ−８０Ａの出力電源に分岐する。
【００３５】
以上詳述したことから明らかなように、段違いの二つの端子面である下段端子面２１及び上段端子面２２を有する３個の導電金具２０と、各導電金具２０が固定される階段状の３個の台座部１３を有する絶縁性の筐体としてのケース１０とを備え、各導電金具２０は、上段端子面２２に１個の入力端子ボルト２７が設けられると共に、下段端子面２１に２個の出力端子ネジ２５が、上段端子面２２に１個の出力端子ネジ２５がそれぞれ設けられているので、各導電金具２０並びにケース１０のサイズを小さく設定することができ、装置全体をコンパクト化することが可能となる。また、出力端子ネジ２５が設けられる下段端子面２１と上段端子面２２とが段違いとなっているため、各出力端子ネジ２５に接続される出力側ケーブル５２同士が干渉することがなく、各出力側ケーブル５２の各出力端子ネジ２５への接続作業を容易に行うことができる。
【００３６】
また、下段端子面２１に設けられた２個のネジ孔２１ａ及び上段端子面２２に設けられたネジ孔２２ａの水平位置は、ケーブル接続方向である前後方向と交差する左右方向において互いに異なるように設定されているので、メンテナンス時における各出力端子ネジ２５のネジ締め点検等において、下段端子面２１に取付けられた２個の出力端子ネジ２５を点検する際に、上段端子面２２の出力端子ネジ２５に接続された出力側ケーブル５２にドライバが接触することなく、出力端子ネジ２５の増す締め作業等を効率的に行うことができる。
【００３７】
また、導電金具２０において隣接する下段端子面２１と上段端子面２２との間を接続する立ち上がり部２３が、下段端子面２１に設けられる出力端子ネジ２５に近接しているので、出力側ケーブル５２先端の圧着端子５２ａを下段端子面２１の出力端子ネジ２５に取付ける際に、圧着端子５２ａの先端が導電金具２０の略垂直な壁面形状をなす立ち上がり部２３に当接して位置決めされ、高い作業性で出力側ケーブル５２を容易に接続することができる。
【００３８】
また、ケース１０の左右両端に側壁部１９がそれぞれ立設されると共に、側壁部１９に着脱可能に取付けられてケース１０上面を覆う透明カバー４０を備えているので、作業者が通電中の導電金具２０等に誤って接触して感電する事故等を防止することができると共に、透明カバー４０を取付けた状態で入力端子ボルト２７や出力端子ネジ２５における各ケーブルの接続状態等の目視確認を行うことができる。
【００３９】
また、ケース１０の左右方向長さに略等しい長さを有する記号板３０が両側壁部１９上面に架け渡されて透明カバー４０下面との間に挟持されるので、簡単な構造で確実に記号板４０が固定されると共に、記号板４０に表示された各ケーブルを識別するための記号等を、透明カバー４０を通して確実に目視確認することができる。
【００４０】
尚、本発明は上述した各実施の形態に限定されるものではなく、本発明の主旨を逸脱しない範囲で種々の変更を施すことが可能である。
【００４１】
例えば、前記実施の形態では、各端子台部１１において一つの入力電源を３つの出力電源に分岐する１入力−３出力用の構成例を示したが、これには限られない。例えば、入力数：出力数を、１：４，１：５，１：６，２：３，２：５，又は２：６のように設定してもよい。図７は、１入力−５出力用の構成とした変形例における導電金具２０’を示す斜視図である。図８は、変形例の分岐端子台装置１’において導電金具２０’にケーブルが接続された状態を示す平面図である。但し、透明カバー４０及び記号板３０の図示を省略する。本変形例の分岐端子台装置１’は、前記実施形態における導電金具２０に代えて、１個の入力端子ボルト２７と５個の出力端子ネジ２５とを取付けた導電金具２０’が各端子台部１１の台座部１３にそれぞれ固定されている。導電金具２０’の下段端子面２１には、左右方向に３つのネジ孔２１ａが形成され、各ネジ孔２１ａには出力端子ネジ２５がそれぞれ座金を介して取付けられる。上段端子面２２には、左右２つのネジ孔２２ａと、左右２つのテーパ状のネジ挿通孔２２ｂと、雌ネジ孔である１つのボルト挿通孔２２ｃとが、前方から後方に向かって順に設けられている。各ネジ孔２２ａは、下段端子面２１のネジ孔２１ａと同一径であり、出力端子ネジ２５が座金を介して取付けられる。また、２つのネジ挿通孔２２ｂには、金具取付けネジ２６がそれぞれ挿通され、上段部１５の雌ネジ金具１５ｂに螺合することにより、導電金具２０’が台座部１３に固定される。また、ボルト挿通孔２２ｃには、入力端子ボルト２７の足部が挿通され螺合する。つまり、導電金具２０には、下段端子面２１に３個及び上段端子面２２に２個の合計５個の出力端子ネジ２５が、上段端子面２２に１個の入力端子ボルト２７がそれぞれ取付けられる。
【００４２】
尚、ケース１０の各台座部１３には、導電金具２０’に取付けられる出力端子ネジ２５の足部を収容可能な複数の凹部１５ａ，１６ａ〜１６ｃが設けられ、凹部１５ａ等の個数、位置及び大きさは、出力端子ネジ２５等の取付け個数が異なる複数種類の導電金具２０、２０’に対して共通に使用可能に設定されているので、導電金具２０，２０’のいずれかを用途に応じて選択し、同一のケース１０に取付けて使用することができる。
【産業上の利用可能性】
【００４３】
本発明は、複数又は単数の入力電源を複数の出力電源に分岐するための分岐端子台装置に適用可能である。
【図面の簡単な説明】
【００４４】
【図１】本発明の一実施形態である分岐端子台装置を示す斜視図である。
【図２】分岐端子台装置を示す分解斜視図である。
【図３】分岐端子台装置を示す正面図である。
【図４】導電金具及び端子ネジを示す分解斜視図である。
【図５】導電金具にケーブルが接続された状態を示す平面図である。
【図６】分岐端子台装置の使用状態を示す斜視図である。
【図７】変形例における導電金具を示す斜視図である。
【図８】変形例の分岐端子台装置において導電金具にケーブルが接続された状態を示す平面図である。
【図９】従来例の分岐端子台装置を示す図であり、（ａ）は平面図を、（ｂ）は正面図をそれぞれ示している。
【符号の説明】
【００４５】
１，１’    分岐端子台装置
１０    ケース（筐体）
１３    台座部
１４    下段部
１５    上段部
２０，２０’    導電金具
２１    下段端子面（端子面）
２１ａ  ネジ孔（出力端子部）
２２    上段端子面（端子面）
２２ａ  ネジ孔（出力端子部）
２２ｃ  ボルト挿通孔（入力端子部）
２３    立ち上がり部
２５    出力端子ネジ（出力端子部）
２７    入力端子ネジ（入力端子部）
【図１】
2007294333.tif 000003
【図２】
2007294333.tif 000004
【図３】
2007294333.tif 000005
【図４】
2007294333.tif 000006
【図５】
2007294333.tif 000007
【図６】
2007294333.tif 000008
【図７】
2007294333.tif 000009
【図８】
2007294333.tif 000010
【図９】
2007294333.tif 000011